(57)【要約】【課題】正確で再現性に優れるＣＴ検査が可能で、狭い設置スペースでの使用や増設が可能なコンパクトで検査効率の優れたＣＴ装置を提供する。【解決手段】上記課題を解決するために本発明のＣＴ装置３はＸ線等を使用して被検者Ａの全身各部位を断面撮影する水平に配置されたガントリー１１と、ガントリー１１を被検者Ａに対して上下方向Ｚに相対移動させる昇降移動装置１５と、被検者Ａがガントリー１１の中心に位置するように被検者Ａの姿勢を安定させる保持部材としての立位用グリップ２７と着座用グリップ２９のいずれか一方または双方とを備えている。【選択図】        図１
2008278902.tif 000002
【特許請求の範囲】
【請求項１】
水平に配置されたガントリーと、該ガントリーを被検者に対して上下方向に相対移動させる昇降移動装置と、被検者がガントリーの中心に位置するように被検者の姿勢を安定させる保持部材とを備えていることを特徴とするＣＴ装置。
【請求項２】
請求項１に記載したＣＴ装置において、保持部材は立位姿勢の被検者が両手を上げた状態で掴むことができる位置に配置されている立位用グリップであることを特徴とするＣＴ装置。
【請求項３】
請求項１または２に記載したＣＴ装置において、保持部材は着座姿勢の被検者が両手で掴むことができる位置に配置されている着座用グリップであることを特徴とするＣＴ装置。
【請求項４】
請求項１〜３のいずれかに記載したＣＴ装置において、着座姿勢の被検者が腰掛けることができるクッションがガントリーの下方に設けられていることを特徴とするＣＴ装置。
【請求項５】
ガントリーと被検者の相対位置を変化させながら被検者の全身各部位にＸ線等を照射して断面撮影するＣＴ装置と、該ＣＴ装置を遮蔽して外部へのＸ線等の漏出を防止するＸ線遮蔽室とを一体化させたＣＴ検査ユニットにおいて、
前記ＣＴ装置として請求項１〜４のいずれかに記載したＣＴ装置を適用したことを特徴とするＣＴ検査ユニット。
【発明の詳細な説明】
【技術分野】
【０００１】
本発明は、狭い設置スペースで被検者の全身各部位を正確且つ効率的に断面撮影することができる一般検診等に好適なＣＴ装置及び該ＣＴ装置とＸ線遮蔽室とを一体化したＣＴ検査ユニットに関するものである。
【背景技術】
【０００２】
従来のＣＴ装置は被検者がベッドに横たわった横臥姿勢で被検者を検査する横型タイプであった。従ってＣＴ装置を設置するためにはベッドの長さと、ベッドとＣＴ装置間の相対移動距離等とを勘案して、幅約３ｍ、奥行き約５ｍにも及ぶ広い設置スペースを必要としていた。しかしこのような広い設置スペースを確保することは一般的に容易ではなく、新規にＣＴ装置を導入またはＣＴ装置を増設したいと考えたりしたとしても実際には断念せざるを得ない場合が多かった。
【０００３】
また最近では一般検診等にも広くＣＴ装置が利用されるようになってきており、集団検診等にも対応できるよう、場所を選ぶことなく効率的なＣＴ検査を実行することができるコンパクトなＣＴ装置の開発が望まれている。
また近時注目を浴びているメタボリック検診等では、横臥姿勢で皮下脂肪や内臓脂肪を測定すると、脂肪が背中側に移動してしまうため正確で再現性に優れる検査が実行できなかった。
【発明の開示】
【発明が解決しようとする課題】
【０００４】
本発明は、上記背景技術が抱えていた問題点の存在を踏まえてなされたものであって、正確で再現性に優れるＣＴ検査を実行することができ、狭い設置スペースでの使用や増設が可能なコンパクトで検査効率に優れたＣＴ装置及び該ＣＴ装置とＸ線遮蔽室とを一体化したＣＴ検査ユニットを提供することを、その課題とする。
【課題を解決するための手段】
【０００５】
上記課題を解決するために、請求項１に記載した発明は、水平に配置されたガントリーと、該ガントリーを被検者に対して上下方向に相対移動させる昇降移動装置と、被検者がガントリーの中心に位置するように被検者の姿勢を安定させる保持部材とを備えていることを特徴とするＣＴ装置である。
【０００６】
請求項２に記載した発明は、請求項１に記載したＣＴ装置において、保持部材は立位姿勢の被検者が両手を上げた状態で掴むことができる位置に配置されている立位用グリップであることを特徴とするＣＴ装置である。
【０００７】
請求項３に記載した発明は、請求項１または２に記載したＣＴ装置において、保持部材は着座姿勢の被検者が両手で掴むことができる位置に配置されている着座用グリップであることを特徴とするＣＴ装置である。
【０００８】
請求項４に記載した発明は、請求項１〜３のいずれかに記載したＣＴ装置において、着座姿勢の被検者が腰掛けることができるクッションがガントリーの下方に設けられていることを特徴とするＣＴ装置である。
【０００９】
請求項５に記載した発明は、ガントリーと被検者の相対位置を変化させながら被検者の全身各部位にＸ線等を照射して断面撮影するＣＴ装置と、該ＣＴ装置を遮蔽して外部へのＸ線等の漏出を防止するＸ線遮蔽室とを一体化させたＣＴ検査ユニットにおいて、前記ＣＴ装置として請求項１〜４のいずれかに記載したＣＴ装置を適用したことを特徴とするＣＴ検査ユニットである。
【発明の効果】
【００１０】
本発明のＣＴ装置によれば、ガントリーは被検者に対して上下方向に相対移動しながら被検者の全身各部位の断面撮影を実行することができる。従って被検者は立位姿勢及び着座姿勢でＣＴ検査を行うことができ、正確で再現性に優れる検査結果を得ることができる。
また縦型のＣＴ装置になるため、設置スペースが小さくて済み、種々の場所にＣＴ装置を設置でき、ＣＴ装置の増設も容易になる。また保持部材を設けることによって被検者の検査姿勢が安定するため、正確で安全なＣＴ検査が実行できるようになる。
【００１１】
上記保持部材を立位用グリップによって構成した場合には比較的簡単な構成によって被検者の意思に基づく安定した立位姿勢が形成される。また上記保持部材を着座用グリップによって構成した場合には比較的簡単な構成によって被検者の意思に基づく安定した着座姿勢が形成される。
【発明を実施するための最良の形態】
【００１２】
以下、本発明のＣＴ装置及び該ＣＴ装置を備えたＣＴ検査ユニットを実施するための最良の形態として図１〜５に示す実施の形態を例に採って具体的に説明する。
ＣＴ検査ユニット１は図１に示すように本発明のＣＴ装置３と、該ＣＴ装置３を遮蔽して外部へのＸ線等の漏出を防止するＸ線遮蔽室５とを一体のユニットとして備えている。
Ｘ線遮蔽室５はＸ線等を透過しない鉛防護壁７によって構成されており、鉛防護壁７を前面、後面、左右の側面に配置することによって平面視約２ｍ四方の遮蔽空間を形成している。また鉛防護壁７の一部には被検者Ａや計測者等が出入りするための扉９が形成されている。
【００１３】
ＣＴ装置３はＸ線等を使用して被検者Ａの全身各部位を断面撮影することができるガントリー１１を備えている。ガントリー１１はＣＴスキャンを実行する装置で、中心に被検者Ａとの相対移動を可能にするための円形の開口部１３が形成されている。
またガントリー１１は昇降移動装置１５によって水平姿勢を保ったまま、上下方向Ｚに昇降移動できるように支持されている。
【００１４】
昇降移動装置１５は床面１７に固定される板状の左右２枚のベースマウント１９と、各々のベースマウント１９から上方に向けて立ち上げられている２本の支柱２１と、該支柱２１に案内されて上下方向Ｚに昇降移動する前面側に張り出した２本の昇降アーム２３と、該昇降アーム２３を駆動するための図示しない駆動装置とを備えている。
そしてこのように構成される昇降移動装置１５の移動範囲は床面１７から天井２５までの約２ｍ４０ｃｍの空間を有効に活用した移動範囲になっており、このような広い移動範囲を取ることによって立位姿勢の被検者Ａの頭部から大腿部にかけての各部位の断面撮影が可能になっている。
【００１５】
またＣＴ装置３には被検者Ａがガントリー１１の中心に位置するように被検者Ａの姿勢を安定させる保持部材としての立位用グリップ２７と着座用グリップ２９とが設けられている。
立位用グリップ２７は所定の足置き場３３に足を置いた被検者Ａが立位姿勢で両手を上げて掴むことができる位置に配置されている。
本実施の形態では自動車のハンドル様の形状をした円環状のグリップリング３５と、グリップリング３５の中心から上方に向けて延びる軸部３７と、軸部３７の上端に取り付けられているフランジ部３９とによって立位用グリップ２７は構成されている。
【００１６】
実施の形態では立位用グリップ２７は天井２５に対して直接、取り付けられており、ボルト４１等を使用してフランジ部３９に形成されている図示しない穴部に下方から上記ボルト４１を通して天井２５側に設けられている図示しないナット等に螺合させることによって天井２５に固定されている。
軸部３７には図示しない長さ調節機構が設けられており、背の高さや腕の長さの違う種々の被検者Ａに対して適宜、軸部３７の長さを調節できるようになっている。
【００１７】
足置き場３３の前面を除く周囲には足置き場３３を囲むように配置されている所定高さのクッション３１が設けられている。尚、クッション３１の高さは着座姿勢の被検者Ａが腰掛けるのに適した高さに設定されており、被検者Ａの体格の違いに応じてクッション３１の高さが調節できるように構成されていることが望ましい。
【００１８】
クッション３１の左右の上面には着座用グリップ２９が設けられている。着座用グリップ２９は被検者Ａが両手で掴むことができる太さのアーチ状に湾曲したパイプ状の部材によって構成されている。
そして着座用グリップ２９の高さは着座姿勢の被検者Ａが掴むのに適した高さに設定されており、被検者Ａがクッション３１に座る時と、クッション３１から腰を上げる際に被検者Ａの体重を支える手摺りとしても機能している。
【００１９】
次にこのようにして構成されているＣＴ装置３及びＣＴ検査ユニット１を使用してＣＴ検査を実行する場合の検査手順を（１）立位姿勢での検査手順と、（２）着座姿勢での検査手順に分けて説明する。
（１）立位姿勢での検査手順（図４（ａ）（ｂ）参照）
初期状態ではガントリー１１は図４（ａ）に示すように被検者Ａの出入りの邪魔にならない上端の待機位置に位置している。この状態で被検者Ａは扉９を開けて、Ｘ線遮蔽室５内に入り、足置き場３３上に足を置いて前面側を向き、両手を天井２５に向けて垂直に上げ、グリップリング３５を両手でしっかりと掴む。
【００２０】
計測者は被検者Ａが正しい位置に位置しており、被検者Ａの検査姿勢が正しいことを確認して被検者Ａに検査を開始することを伝え、起動スイッチを押してＣＴ装置３を起動させる。
ＣＴ装置３は上記起動の指示に基づいて図４（ｂ）に示すようにガントリー１１を徐々に下方に移動させて被検者Ａの所定部位あるいは全身各部位のＣＴスキャンを実行し、当該所定部位あるいは全身各部位の断面撮影を随時行って行く。ＣＴスキャンに要する時間は撮影する断面の数にもよるが、概ね５分でＣＴスキャンを完了する。
【００２１】
ＣＴスキャンが完了するとガントリー１１は上方に移動するようになり、上端の待機位置まで移動して停止する。計測者は被検者ＡにＣＴ検査の終了を知らせ、被検者Ａはグリップリング３５から手を離してＸ線遮蔽室５から退室する。
以下、同様の手順でＣＴ検査を繰り返す。ＣＴ装置３ないしＣＴ検査ユニット１を３台設置し、同時にＣＴ検査を実行した場合には１回のＣＴ検査を５分として３時間で３６回、３台で１０８回、１００人以上のＣＴ検査を実行することができるようになる。
【００２２】
（２）着座姿勢での検査手順（図５（ａ）（ｂ）参照）
足腰の弱い人、お年寄り等、立位姿勢でのＣＴ検査が困難な人については着座姿勢でのＣＴ検査を実行する。
初期状態ではガントリー１１は図５（ａ）に示すように被検者Ａの出入りの邪魔にならない上端の待機位置に位置している。この状態で被検者Ａは扉９を開けて、Ｘ線遮蔽室５内に入り、足置き場３３上に足を置いて前面側を向き、左右の着座用グリップ２９を掴んで体重を支えながらクッション３１上に腰掛ける。
【００２３】
計測者は被検者Ａが正しい位置に位置しており、被検者Ａの検査姿勢が正しいことを確認して被検者Ａに検査を開始することを伝え、起動スイッチを押してＣＴ装置３を起動させる。
ＣＴ装置３は上記起動の指示に基づいて図５（ｂ）に示すようにガントリー１１を徐々に下方に移動させて被検者Ａの上半身の所定部位あるいは上半身各部位のＣＴスキャンを実行し、当該所定部位あるいは上半身各部位の断面撮影を随時行って行く。
【００２４】
ＣＴスキャンが完了するとガントリー１１は上方に移動するようになり、上端の待機位置まで移動して停止する。計測者は被検者ＡにＣＴ検査の終了を知らせ、被検者Ａは着座用グリップ２９に体重をかけながらクッション３１から腰を上げ、着座用グリップ２９から手を離してＸ線遮蔽室５から退室する。
以下、同様の手順でＣＴ検査を繰り返す。
【００２５】
以上、本発明を実施するための最良の形態として図示の実施の形態を例に採って詳述してきたが、本発明の具体的構成は図示の実施の形態に限定されるものではなく、本発明の要旨から外れない範囲での設計変更等があっても本発明に含まれる。
例えば、本発明のＣＴ検査ユニット１は建築物等の室内に固定状態で設置する他、自動車等の荷台に搭載してＣＴ検査機能を備えた検診車として利用することも可能である。またＸ線遮蔽室５は上面と下面を閉塞した完全密閉式のボックス状のＸ線遮蔽室５とすることも可能であり、この場合にはＸ線遮蔽室５の天井部に立位用グリップ２７を取り付けることもできる。
【００２６】
またクッション３１と着座用グリップ２９を取り外し可能にして、車椅子に乗ったままＣＴ検査を受けられるようにしたり、被検者Ａの位置や姿勢が正しいことを確認するセンサや、ガントリー１１の不用意な落下や暴走を防止する安全装置等を設けることも勿論可能である。
また足置き場３３やクッション３１に昇降機能を付加することによって被検者Ａ側を昇降移動可能に構成したり、ガントリー１１と被検者Ａの両方を昇降移動可能に構成して両者の移動範囲を小さく設定するようにすることも可能である。
【産業上の利用可能性】
【００２７】
本発明は被検者の全身各部位を断面撮影するＣＴ装置及びＣＴ検査ユニットの製造、使用分野等において利用でき、特に狭い設置スペースで正確且つ効率的にＣＴ検査を実行したい場合に利用可能性を有する。
【図面の簡単な説明】
【００２８】
【図１】本発明の実施の形態に係るＣＴ装置及びＣＴ検査ユニットを示す斜視図である。
【図２】本発明の実施の形態に係るＣＴ装置及びＣＴ検査ユニットを示す正面図である。
【図３】本発明の実施の形態に係るＣＴ装置及びＣＴ検査ユニットを示す側面図である。
【図４】本発明の実施の形態に係るＣＴ装置を立位姿勢で使用する場合の検査手順を示す正面図である。
【図５】本発明の実施の形態に係るＣＴ装置を着座姿勢で使用する場合の検査手順を示す側面図である。
【符号の説明】
【００２９】
１  ＣＴ検査ユニット                ３  ＣＴ装置
５  Ｘ線遮蔽室                      ７  鉛防護壁
９  扉                            １１  ガントリー
１３  開口部                        １５  昇降移動装置
１７  床面                          １９  ベースマウント
２１  支柱                          ２３  昇降アーム
２５  天井                          ２７  立位用グリップ
２９  着座用グリップ                ３１  クッション
３３  足置き場                      ３５  グリップリング
３７  軸部                          ３９  フランジ部
４１  ボルト
Ａ  被検者                          Ｚ  上下方向
【図１】
2008278902.tif 000003
【図２】
2008278902.tif 000004
【図３】
2008278902.tif 000005
【図４】
2008278902.tif 000006
【図５】
2008278902.tif 000007